【事件の表示】
　特許第２８２２７１８号「データ処理装置及びデータ処理方法」の請求項１ないし６に係る特許に対する特許異議の申立てについて、次のとおり決定する。
【結論】
　訂正を認める。
　特許第２８２２７１８号の請求項１ないし６に係る特許を維持する。
【理由】
Ｉ．手続きの経緯
　本件特許第２８２２７１８号に係る発明は、平成３年９月２６日に特許出願され、平成１０年９月４日にその発明ついて特許の設定登録がなされた後、その特許について、特許異議申立人小山輝晃より特許異議申立がなされ、取消理由通知がなされ、その指定期間内である平成１１年１０月５日に訂正請求がなされた後、訂正拒絶理由が通知され、訂正拒絶理由に対して手続補正書が提出されたものである。
ＩＩ．訂正の適否についての判断
１．訂正請求に対する補正の適否について
　特許権者は、訂正請求書を次の（１）〜（６）のとおり補正するものであり、当該訂正請求に対する補正は、訂正請求書の要旨を変更するものでなく、特許法１２０条の４第３項において準用する同法１３１条第２項の規定に適合する。
（１）
▲１▼全文訂正明細書中の特許請求の範囲「【請求項１】…前記入力手段によりスクロールバーが操作され、パラメータの数値が変更されると、…」を、
「【請求項１】…スクロールバーが操作を指定し、前記スクロールバーへの指示に応じてパラメータの数値が変更されると、…」に補正する。
▲２▼訂正請求書の訂正の要旨、訂正事項（ａ）「…前記入力手段によりスクロールバーが操作され、パラメータの数値が変更されると、…」を、
「…前記入力手段によりスクロールバーを指定し、前記スクロールバーへの指示に応じてパラメータの数値が変更されると、…」に補正する。
▲３▼訂正請求書の請求の原因、訂正事項（ａ）
「上記訂正事項は、特許明細書の特許請求の範囲の請求項１に記載された「矢印の矢じり部分のパラメータの数値を設定するための設定画面」を、より下位概念である「矢印の矢じり部分のパラメータの数値に基づく矢印のパターン表示領域、及びパラメータの数値を変更するスクロールバーを有する設定画面」に、「前記パラメータ設定手段により設定されたパラメータの数値に基づいて、前記表示手段に矢印を表示させる表示制御手段」をより下位概念である「前記設定画面上で前記入力手段によりスクロールバーが操作され、パラメータの数値が変更されると、前記設定画面内に変更後のパラメータの数値に基づく矢印のパターンを表示し、設定されたパラメータの数値に基づいて、前記表示手段に矢印を表示させる表示制御手段」にそれぞれ限定しようとするものである。
　この訂正点については、特許明細書の段落番号【００１４】及び図３に記載されている。従って、この訂正は、特許法第１２０条の４第２項ただし書き第１号に規定する特許請求の範囲の減縮に相当するものである。
　また、上記訂正事項は、願書に添付した明細書又は図面に記載した事項の範囲内の訂正であり、実質上特許請求の範囲を拡張し又は変更するものでもない。
　さらに、訂正後の特許請求の範囲に記載されている事項により特定される発明が特許出願の際独立して特許を受けることができるものである。
　すなわち、訂正後の請求項１に係る発明と、平成１１年８月６日付けの取消理由通知で引用された刊行物１〜４を比較すると、刊行物１〜４にはいずれも「パラメータの数値を変更するスクロールバーを有する設定画面」及び「設定画面上で前記入力手段によりスクロールバーが操作され、パラメータの数値が変更されると、前記設定画面内に変更後のパラメータの数値に基づく矢印のパターンを表示し」については記載がなく、上記発明は上記刊行物１〜４のいずれかに記載された発明であるとも、また、上記刊行物１〜４に記載された各発明から容易に発明することができたものとも認められない。
　従って、上記訂正事項（ａ）は特許法１２０条の４第３項で準用する第１２６条第２項から第４項の規定に適合するものである。」を、
「上記訂正事項は、特許明細書の特許請求の範囲の請求項１に記載された「矢印の矢じり部分のパラメータの数値を設定するための設定画面」を、より下位概念である「矢印の矢じり部分のパラメータの数値に基づく矢印のパターン表示領域、及びパラメータの数値を変更するスクロールバーを有する設定画面」に、「前記パラメータ設定手段により設定されたパラメータの数値に基づいて、前記表示手段に矢印を表示させる表示制御手段」をより下位概念である「前記設定画面上で前記入力手段によりスクロールバーを指定し、前記スクロールバーへの指示に応じてパラメータの数値が変更されると、前記設定画面内に変更後のパラメータの数値に基づく矢印のパターンを表示し、設定されたパラメータの数値に基づいて、前記表示手段に矢印を表示させる表示制御手段」にそれぞれ限定しようとするものである。
　この訂正点については、特許明細書の段落番号【００１４】及び図３に記載されている。従って、この訂正は、特許法第１２０条の４第２項ただし書き第１号に規定する特許請求の範囲の減縮に相当するものである。
　また、上記訂正事項は、願書に添付した明細書又は図面に記載した事項の範囲内の訂正であり、実質上特許請求の範囲を拡張し又は変更するものでもない。
　さらに、訂正後の特許請求の範囲に記載されている事項により特定される発明が特許出願の際独立して特許を受けることができるものである。
　すなわち、訂正後の請求項１に係る発明と、平成１１年８月６日付けの取消理由通知で引用された刊行物１〜４を比較すると、刊行物１〜４にはいずれも「パラメータの数値を変更するスクロールバーを有する設定画面」及び「設定画面上で前記入力手段によりスクロールバーを指定し、前記スクロールバーヘの指示に応じてパラメータの数値が変更されると、前記設定画面内に変更後のパラメータの数値に基づく矢印のパターンを表示し」については記載がなく、上記発明は上記刊行物１〜４のいずれかに記載された発明であるとも、また、上記刊行物１〜４に記載された各発明から容易に発明することができたものとも認められない。
　従って、上記訂正事項（ａ）は特許法１２０条の４第３項で準用する第１２６条第２項から第４項の規定に適合するものである。」に補正する。
（２）
▲１▼全文訂正明細書中の特許請求の範囲「【請求項４】…前記入力手段によりアイコンが操作され、パラメータの数値が変更されると、…」を、
「【請求項４】…前記入力手段によりアイコンを指定し、前記アイコンヘの指示に応じてパラメータの数値が変更されると、…」に補正する。
▲２▼訂正請求書の訂正の要旨、訂正事項（ｂ）「…前記入力手段によりアイコンが操作され、パラメータの数値が変更されると、…」を、
「…前記入力手段によりアイコンを指定し、前記アイコンヘの指示に応じてパラメータの数値が変更されると、…」に補正する。
▲３▼訂正請求書の請求の原因、訂正事項（ｂ）
「上記訂正事項は、特許明細書の特許請求の範囲の請求項１に従属していた請求項４を独立させると共に、請求項４に記載された「パラメータの数値を可変にするためのアイコンを有する設定画面」をより下位概念である「矢印の矢じり部分における複数の異なるパラメータの数値に基づく矢印のパターン表示領域、及び各パラメータの数値をそれぞれ変更する複数のアイコンを有する設定画面」に限定しようとするものである。
　この訂正点については、特許明細書の段落番号【００１４】及び図３に記載されている。従って、この訂正は、特許法第１２０条の４第２項ただし書き第１号に規定する特許請求の範囲の減縮に相当するものである。
　また、上記訂正事項は、願書に添付した明細書又は図面に記載した事項の範囲内の訂正であり、実質上特許請求の範囲を拡張し又は変更するものでもない。
　さらに、訂正後の特許請求の範囲に記載されている事項により特定される発明が特許出願の際独立して特許を受けることができるものである。
　すなわち、訂正後の請求項４に係る発明と、平成１１年８月６日付けの取消理由通知で引用された刊行物１〜４を比較すると、刊行物１〜４にはいずれも「矢じり部分における複数の異なるパラメータの数値に基づく矢印のパターン表示領域、及び各パラメータの数値をそれぞれ変更する複数のアイコンを有する設定画面」及び「設定画面上で前記入力手段によりアイコンが操作され、パラメータの数値が変更されると、前記設定画面内に変更後のパラメータの数値に基づく矢印のパターンを表示し」については記載がなく、上記発明は上記刊行物１〜４のいずれかに記載された発明であるとも、また、上記刊行物１〜４に記載された各発明から容易に発明することができたものとも認められない。
　従って、上記訂正事項（ａ）は特許法１２０条の４第３項で準用する第１２６条第２項から第４項の規定に適合するものである。」を、
「上記訂正事項は、特許明細書の特許請求の範囲の請求項１に従属していた請求項４を独立させると共に、請求項４に記載された「パラメータの数値を可変にするためのアイコンを有する設定画面」をより下位概念である「矢印の矢じり部分における複数の異なるパラメータの数値に基づく矢印のパターン表示領域、及び各パラメータの数値をそれぞれ変更する複数のアイコンを有する設定画面」に限定しようとするものである。
　この訂正点については、特許明細書の段落番号【００１４】及び図３に記載されている。従って、この訂正は、特許法第１２０条の４第２項ただし書き第１号に規定する特許請求の範囲の減縮に相当するものである。
　また、上記訂正事項は、願書に添付した明細書又は図面に記載した事項の範囲内の訂正であり、実質上特許請求の範囲を拡張し又は変更するものでもない。
　さらに、訂正後の特許請求の範囲に記載されている事項により特定される発明が特許出願の際独立して特許を受けることができるものである。
　すなわち、訂正後の請求項４に係る発明と、平成１１年８月６日付けの取消理由通知で引用された刊行物１〜４を比較すると、刊行物１〜４にはいずれも「矢じり部分における複数の異なるパラメータの数値に基づく矢印のパターン表示領域、及び各パラメータの数値をそれぞれ変更する複数のアイコンを有する設定画面」及び「設定画面上で前記入力手段によりアイコンを指定し、前記アイコンヘの指示に応じてパラメータの数値が変更されると、前記設定画面内に変更後のパラメータの数値に基づく矢印のパターンを表示し」については記載がなく、上記発明は上記刊行物１〜４のいずれかに記載された発明であるとも、また、上記刊行物１〜４に記載された各発明から容易に発明することができたものとも認められない。
　従って、上記訂正事項（ｂ）は特許法１２０条の４第３項で準用する第１２６条第２項から第４項の規定に適合するものである。」に補正する。
（３）
▲１▼全文訂正明細書中の特許請求の範囲「【請求項６】…、入力装置から設定画面上での指示があると、指定されたパラメータの数値を設定し、設定画面上で入力装置によりアイコンが操作され、パラメータの数値が変更されると、…」を、
「【請求項６】…、パラメータの数値を設定するため、設定画面上で入力装置によりアイコンを指定し、前記アイコンへの指示に応じてパラメータの数値が変更されると、…」と補正する。
▲２▼訂正請求書の訂正の要旨、訂正事項（ｃ）「…、入力装置から設定画面上での指示があると、指定されたパラメータの数値を設定し、設定画面上で入力装置によりアイコンが操作され、パラメータの数値が変更されると、…」を、
「…、パラメータの数値を設定するため、設定画面上で入力装置によりアイコンを指定し、前記アイコンヘの指示に応じてパラメータの数値が変更されると、…」に補正する。
▲３▼訂正請求書の請求の原因、訂正事項（ｃ）
「上記訂正事項は、特許明細書の特許請求の範囲の請求項６に記載された「矢印の矢じり部分のパラメータの数値を設定するための設定画面」を、より下位概念である「矢印の矢じり部分における複数の異なるパラメータの数値に基づく矢印のパターン表示領域、及び各パラメータの数値をそれぞれ変更する複数のアイコンを有する設定画面」に、「設定されたパラメータの数値に基づいて表示画面上に矢印を表示させる」をより下位概念である「設定画面上で入力装置によりアイコンが操作され、パラメータの数値が変更されると、設定画面内に変更後のパラメータの数値に基づく矢印のパターンを表示し、設定されたパラメータの数値に基づいて表示画面に矢印を表示させる」にそれぞれ限定しようとするものである。
　この訂正点については、特許明細書の段落番号【００１４】及び図３に記載されている。従って、この訂正は、特許法第１２０条の４第２項ただし書き第１号に規定する特許請求の範囲の減縮に相当するものである。
　また、上記訂正事項は、願書に添付した明細書又は図面に記載した事項の範囲内の訂正であり、実質上特許請求の範囲を拡張し又は変更するものでもない。
　さらに、訂正後の特許請求の範囲に記載されている事項により特定される発明が特許出願の際独立して特許を受けることができるものである。
　すなわち、訂正後の請求項６に係る発明と、平成１１年８月６日付けの取消理由通知で引用された刊行物１〜４を比較すると、刊行物１〜４にはいずれも「矢印の矢じり部分における複数の異なるパラメータの数値に基づく矢印のパターン表示領域、及び各パラメータの数値をそれぞれ変更する複数のアイコンを有する設定画面」及び「設定画面上で入力装置によりアイコンが操作され、パラメータの数値が変更されると、設定画面内に変更後のパラメータの数値に基づく矢印のパターンを表示し」については記載がなく、上記発明は上記刊行物１〜４のいずれかに記載された発明であるとも、また、上記刊行物１〜４に記載された各発明から容易に発明することができたものとも認められない。
　従って、上記訂正事項（ａ）は特許法１２０条の４第３項で準用する第１２６条第２項から第４項の規定に適合するものである。」を、
「上記訂正事項は、特許明細書の特許請求の範囲の請求項６に記載された「矢印の矢じり部分のパラメータの数値を設定するための設定画面」を、より下位概念である「矢印の矢じり部分における複数の異なるパラメータの数値に基づく矢印のパターン表示領域、及び各パラメータの数値をそれぞれ変更する複数のアイコンを有する設定画面」に、「入力装置から設定画面上での指示があると、指示されたパラメータの数値を設定し、設定されたパラメータの数値に基づいて表示画面上に矢印を表示させる」をより下位概念である「パラメータの数値を設定するため、設定画面上で入力装置によりアイコンを指定し、前記アイコンへの指示に応じてパラメータの数値が変更されると、設定画面内に変更後のパラメータの数値に基づく矢印のパターンを表示し、設定されたパラメータの数値に基づいて表示画面に矢印を表示させる」にそれぞれ限定しようとするものである。
　この訂正点については、特許明細書の段落番号【００１４】及び図３に記載されている。従って、この訂正は、特許法第１２０条の４第２項ただし書き第１号に規定する特許請求の範囲の減縮に相当するものである。
　また、上記訂正事項は、願書に添付した明細書又は図面に記載した事項の範囲内の訂正であり、実質上特許請求の範囲を拡張し又は変更するものでもない。
　さらに、訂正後の特許請求の範囲に記載されている事項により特定される発明が特許出願の際独立して特許を受けることができるものである。
　すなわち、訂正後の請求項６に係る発明と、平成１１年８月６日付けの取消理由通知で引用された刊行物１〜４を比較すると、刊行物１〜４にはいずれも「矢印の矢じり部分における複数の異なるパラメータの数値に基づく矢印のパターン表示領域、及び各パラメータの数値をそれぞれ変更する複数のアイコンを有する設定画面」及び「パラメータの数値を設定するため、設定画面上で入力装置によりアイコンを指定し、前記アイコンへの指示に応じてパラメータの数値が変更されると、設定画面内に変更後のパラメータの数値に基づく矢印のパターンを表示し」については記載がなく、上記発明は上記刊行物１〜４のいずれかに記載された発明であるとも、また、上記刊行物１〜４に記載された各発明から容易に発明することができたものとも認められない。
従って、上記訂正事項（ｃ）は特許法１２０条の４第３項で準用する第１２６条第２項から第４項の規定に適合するものである。」に補正する。
（４）
▲１▼全文訂正明細書中の【０００４】「【課題を解決するための手段】…設定画面上で入力手段によりスクロールバーが操作され、パラメータの数値が変更されると、…」を、
「【課題を解決するための手段】…設定画面上で入力手段によりスクロールバーを指定し、前記スクロールバーへの指示に応じてパラメータの数値が変更されると、…」に補正する。
▲２▼訂正請求書の訂正の要旨、訂正事項（ｄ）「…設定画面上で入力手段によりスクロールバーが操作され、パラメータの数値が変更されると、…」を、
「…設定画面上で入力手段によりスクロールバーを指定し、前記スクロールバーへの指示に応じてパラメータの数値が変更されると、…」に補正する。
（５）
▲１▼全文訂正明細書中の【００１４】「…スクロールバーは、２方向の矢印と、縞の部分…」を、
「…スクロールバーは、２方向の矢印（本発明の「アイコン」に相当する）と、縞の部分…」に補正する。
▲２▼訂正請求書の訂正の要旨に、
「・訂正事項（ｆ）
　【００１４】
　先ず、ＣＰＵ１は、ＣＲＴ７に図１０に示すような矢印設定画面を表示させる（Ｓ６０）。この設定画面において、中央部には、現在の設定値に基づく矢印のパターンを表示する。また、矢印表示部分の左側は角度設定用のスクロールバー、下側は大きさ設定用のスクロールバーである。スクロールバーは、２方向の矢印（本発明の「アイコン」に相当する）と、縞の部分（以下、バリュエータという）及びバリュエータ内を移動する白抜き部分（以下、スライダという）で構成され、バリュエータ内の位置によって、角度及びサイズの設定可能な最大値に対する割合（０％〜１００％）を表す。この場合、角度の最大値は４０°、サイズの最大値は３０ドットである。ここでは、入力手段４からの角度設定（Ｓ６２）、大きさ設定（Ｓ６３）、確定（Ｓ６４）、いづれかの指示に応じて、処理を行う。」を追加する。
▲３▼訂正請求書の請求の原因、訂正事項（ｄ）〜
（ｆ）、
「・訂正事項（ｄ）〜（ｆ）
　上記訂正事項（ｄ）〜（ｆ）においては、特許請求の範囲の減縮による発明の詳細な説明の訂正であるので、特許法第１２０条の４第２項ただし書き第３号に規定する不明瞭な記載の釈明に相当するものである。
　また、上記訂正事項（ｄ）〜（ｆ）は、願書に添付した明細書又は図面に記載した事項の範囲内であり、また、特許請求の範囲を拡張し又は変更するものでもないので、特許法第１２０条の４第３項で準用する第１２６条第２項及び第３項の規定に適合するものである。」を、
「・訂正事項（ｄ）〜（ｇ）
　上記訂正事項（ｄ）〜（ｇ）においては、特許請求の範囲の減縮による発明の詳細な説明の訂正であるので、特許法第１２０条の４第２項ただし書き第３号に規定する不明瞭な記載の釈明に相当するものである。
　また、上記訂正事項（ｄ）〜（ｇ）は、願書に添付した明細書又は図面に記載した事項の範囲内であり、また、特許請求の範囲を拡張し又は変更するものでもないので、特許法第１２０条の４第３項で準用する第１２６条第２項及び第３項の規定に適合するものである。」と補正する。
（６）
▲１▼全文訂正明細書中の【００２２】「【発明の効果】
　本発明は、データを表示する表示手段と、データを入力する入力手段と、表示手段に表示される矢印のパラメータの数値を記憶するパラメータ記憶手段と、矢印の矢じり部分のパラメータの数値に基づく矢印のパターン表示領域、及びパラメータの数値を変更するスクロールバーを有する設定画面を表示手段に表示させる設定画面表示制御手段と、設定画面上において入力手段により指示されたパラメータの数値を、パラメータ記憶手段に設定するパラメータ設定手段と、設定画面上で入力手段によりスクロールバーが操作され、パラメータの数値が変更されると、設定画面内に変更後のパラメータの数値に基づく矢印のパターンを表示し、設定されたパラメータの数値に基づいて、表示手段に矢印を表示させる表示制御手段と、を有する構成としたことにより、設定画面内に設けられたスクロールバーを操作することにより、矢印の矢じり部分の形状を決定するパラメータの数値が変更でき、変更後のパラメータの数値に基づく矢印のパターンが設定画面内に表示されるので、操作者にとって所望の矢印形状の設定、確認の操作効率が向上する。」を、
「【発明の効果】
　本発明は、データを表示する表示手段と、データを入力する入力手段と、表示手段に表示される矢印のパラメータの数値を記憶するパラメータ記憶手段と、矢印の矢じり部分のパラメータの数値に基づく矢印のパターン表示領域、及びパラメータの数値を変更するスクロールバーを有する設定画面を表示手段に表示させる設定画面表示制御手段と、設定画面上において入力手段により指示されたパラメータの数値を、パラメータ記憶手段に設定するパラメータ設定手段と、設定画面上で入力手段によりスクロールバーを指示し、前記スクロールバーへの指示に応じてパラメータの数値が変更されると、設定画面内に変更後のパラメータの数値に基づく矢印のパターンを表示し、設定されたパラメータの数値に基づいて、表示手段に矢印を表示させる表示制御手段と、を有する構成としたことにより、設定画面内に設けられたスクロールバーを指定し、スクロールバーへの指示に応じて、矢印の矢じり部分の形状を決定するパラメータの数値が変更でき、変更後のパラメータの数値に基づく矢印のパターンが設定画面内に表示されるので、操作者にとって所望の矢印形状の設定、確認の操作効率が向上する。」に補正する。
▲２▼訂正請求書の訂正の要旨、訂正事項（ｆ）
「・訂正事項（ｆ）
　【００２２】
　【発明の効果】
　本発明は、データを表示する表示手段と、データを入力する入力手段と、表示手段に表示される矢印のパラメータの数値を記憶するパラメータ記憶手段と、矢印の矢じり部分のパラメータの数値に基づく矢印のパターン表示領域、及びパラメータの数値を変更するスクロールバーを有する設定画面を表示手段に表示させる設定画面表示制御手段と、設定画面上において入力手段により指示されたパラメータの数値を、パラメータ記憶手段に設定するパラメータ設定手段と、設定画面上で入力手段によりスクロールバーが操作され、パラメータの数値が変更されると、設定画面内に変更後のパラメータの数値に基づく矢印のパターンを表示し、設定されたパラメータの数値に基づいて、表示手段に矢印を表示させる表示制御手段と、を有する構成としたことにより、設定画面内に設けられたスクロールバーを操作することにより、矢印の矢じり部分の形状を決定するパラメータの数値が変更でき、変更後のパラメータの数値に基づく矢印のパターンが設定画面内に表示されるので、操作者にとって所望の矢印形状の設定、確認の操作効率が向上する。」を、
「・訂正事項（ｇ）
　【００２２】
　【発明の効果】
　本発明は、データを表示する表示手段と、データを入力する入力手段と、表示手段に表示される矢印のパラメータの数値を記憶するパラメータ記憶手段と、矢印の矢じり部分のパラメータの数値に基づく矢印のパターン表示領域、及びパラメータの数値を変更するスクロールバーを有する設定画面を表示手段に表示させる設定画面表示制御手段と、設定画面上において入力手段により指示されたパラメータの数値を、パラメータ記憶手段に設定するパラメータ設定手段と、設定画面上で入力手段によりスクロールバーを指定し、前記スクロールバーへの指示に応じてパラメータの数値が変更されると、設定画面内に変更後のパラメータの数値に基づく矢印のパターンを表示し、設定されたパラメータの数値に基づいて、表示手段に矢印を表示させる表示制御手段と、を有する構成としたことにより、設定画面内に設けられたスクロールバーを指定し、スクロールバーへの指示に応じて、矢印の矢じり部分の形状を決定するパラメータの数値が変更でき、変更後のパラメータの数値に基づく矢印のパターンが設定画面内に表示されるので、操作者にとって所望の矢印形状の設定、確認の操作効率が向上する。」に補正する。
２．訂正の内容
（１）訂正事項ａ
　特許請求の範囲の請求項１
「データを表示する表示手段と、
　データを入力する入力手段と、
　前記表示手段に表示される矢印のパラメータの数値を記憶するパラメータ記憶手段と、
　矢印の矢じり部分のパラメータの数値を設定するための設定画面を前記表示手段に表示させる設定画面表示制御手段と、
　前記設定画面上において前記入力手段により指示されたパラメータの数値を、前記パラメータ記憶手段に設定するパラメータ設定手段と、
　前記パラメータ設定手段により設定されたパラメータの数値に基づいて、前記表示手段に矢印を表示させる表示制御手段と、を有することを特徴とするデータ処理装置。」
を
「データを表示する表示手段と、
　データを入力する入力手段と、
　前記表示手段に表示される矢印のパラメータの数値を記憶するパラメータ記憶手段と、
　矢印の矢じり部分のパラメータの数値に基づく矢印のパターン表示領域、及びパラメータの数値を変更するスクロールバーを有する設定画面を前記表示手段に表示させる設定画面表示制御手段と、
　前記設定画面上において前記入力手段により指示されたパラメータの数値を、前記パラメータ記憶手段に設定するパラメータ設定手段と、
　前記設定画面上で前記入力手段によりスクロールバーを指定し、前記スクロールバーへの指示に応じてパラメータの数値が変更されると、前記設定画面内に変更後のパラメータの数値に基づく矢印のパターンを表示し、設定されたパラメータの数値に基づいて、前記表示手段に矢印を表示させる表示制御手段と、を有することを特徴とするデータ処理装置。」
と訂正する。
（２）訂正事項ｂ
　特許請求の範囲の請求項４
「前記設定画面制御手段は、パラメータの数値を可変にするためのアイコンを有する設定画面を表示させ、前記パラメータ設定手段は、前記入力手段による前記アイコンへの指示に応じて、矢印の矢じり部分のパラメータを設定することを特徴とする請求項１記載のデータ処理装置。」
を
「データを表示する表示手段と、
　データを入力する入力手段と、
　前記表示手段に表示される矢印のパラメータの数値を記憶するパラメータ記憶手段と、
　矢印の矢じり部分における複数の異なるパラメータの数値に基づく矢印のパターン表示領域、及び各パラメータの数値をそれぞれ変更する複数のアイコンを有する設定画面を前記表示手段に表示させる設定画面表示制御手段と、
　前記設定画面上において前記入力手段により指示されたパラメータの数値を、前記パラメータ記憶手段に設定するパラメータ設定手段と、
　前記設定画面上で前記入力手段によりアイコンを指定し、前記アイコンへの指示に応じてパラメータの数値が変更されると、前記設定画面内に変更後のパラメータの数値に基づく矢印のパターンを表示し、設定されたパラメータの数値に基づいて表示画面上に矢印を表示させる表示制御手段と、を有することを特徴とするデータ処理装置。」
と訂正する。
（３）訂正事項ｃ
　特許請求の範囲の請求項６
「データを入力する入力装置と、データを記憶する記憶装置と、データを表示する表示装置とを有する装置を制御すると共に、表示画面上に表示される矢印のパラメータを変更するデータ処理方法であって、
　矢印の矢じり部分のパラメータの数値を設定するための設定画面を表示させ、
　入力装置から設定画面上での指示があると、
　指示されたパラメータの数値を設定し、
　設定されたパラメータの数値に基づいて表示画面上に矢印を表示させる、ように制御することを特徴とするデータ処理方法。」
を
「データを入力する入力装置と、データを記憶する記憶装置と、データを表示する表示装置とを有する装置を制御すると共に、表示画面上に表示される矢印のパラメータを変更するデータ処理方法であって、
　矢印の矢じり部分における複数の異なるパラメータの数値に基づく矢印のパターン表示領域、及び各パラメータの数値をそれぞれ変更する複数のアイコンを有する設定画面を表示させ、
　パラメータの数値を設定するため、設定画面上で入力装置によりアイコンを指定し、前記アイコンへの指示に応じてパラメータの数値が変更されると、設定画面内に変更後のパラメータの数値に基づく矢印のパターンを表示し、設定されたパラメータの数値に基づいて表示画面上に矢印を表示させる、ように制御することを特徴とするデータ処理方法。」
に訂正する。
（４）訂正事項ｄ
　【０００４】を
「【課題を解決するための手段】
　本発明は、上記した問題点を解決するために、データを表示する表示手段と、データを入力する入力手段と、表示手段に表示される矢印のパラメータの数値を記憶するパラメータ記憶手段と、矢印の矢じり部分のパラメータの数値に基づく矢印のパターン表示領域、及びパラメータの数値を変更するスクロールバーを有する設定画面を表示手段に表示させる設定画面表示制御手段と、設定画面上において入力手段により指示されたパラメータの数値を、パラメータ記憶手段に設定するパラメータ設定手段と、設定画面上で入力手段によりスクロールバーを指定し、前記スクロールバーへの指示に応じてパラメータの数値が変更されると、設定画面内に変更後のパラメータの数値に基づく矢印のパターンを表示し、設定されたパラメータの数値に基づいて、表示手段に矢印を表示させる表示制御手段と、を有する構成とした。」
と訂正する。
（５）訂正事項ｅ
　【０００５】を
「【作用】
　本発明は、上記した構成により、設定画面内に設けられたスクロールバーを操作することにより、矢印の矢じり部分の形状を決定するパラメータの数値が変更される。」
と訂正する。
（６）訂正事項ｆ
　【００１４】を
「先ず、ＣＰＵ１は、ＣＲＴ７に図１０に示すような矢印設定画面を表示させる（Ｓ６０）。この設定画面において、中央部には、現在の設定値に基づく矢印のパターンを表示する。また、矢印表示部分の左側は角度設定用のスクロールバー、下側は大きさ設定用のスクロールバーである。スクロールバーは、２方向の矢印（本発明の「アイコン」に相当する）と、縞の部分（以下、バリュエータという）及びバリュエータ内を移動する白抜き部分（以下、スライダという）で構成され、バリュエータ内の位置によって、角度及びサイズの設定可能な最大値に対する割合（０％〜１００％）を表す。この場合、角度の最大値は４０°、サイズの最大値は３０ドットである。ここでは、入力手段４からの角度設定（Ｓ６２）、大きさ設定（Ｓ６３）、確定（Ｓ６４）、いづれかの指示に応じて、処理を行う。」
と訂正する。
（７）訂正事項ｇ
　【００２２】を
「【発明の効果】
　本発明は、データを表示する表示手段と、データを入力する入力手段と、表示手段に表示される矢印のパラメータの数値を記憶するパラメータ記憶手段と、矢印の矢じり部分のパラメータの数値に基づく矢印のパターン表示領域、及びパラメータの数値を変更するスクロールバーを有する設定画面を表示手段に表示させる設定画面表示制御手段と、設定画面上において入力手段により指示されたパラメータの数値を、パラメータ記憶手段に設定するパラメータ設定手段と、設定画面上で入力手段によりスクロールバーを指示し、前記スクロールバーへの指示に応じてパラメータの数値が変更されると、設定画面内に変更後のパラメータの数値に基づく矢印のパターンを表示し、設定されたパラメータの数値に基づいて、表示手段に矢印を表示させる表示制御手段と、を有する構成としたことにより、設定画面内に設けられたスクロールバーを指定し、スクロールバーへの指示に応じて、矢印の矢じり部分の形状を決定するパラメータの数値が変更でき、変更後のパラメータの数値に基づく矢印のパターンが設定画面内に表示されるので、操作者にとって所望の矢印形状の設定、確認の操作効率が向上する。」
と訂正する。
３．訂正の目的の適否、新規事項の有無及び拡張・変更の存否
　上記訂正事項ａ、ｂ、ｃについては、特許請求の範囲の減縮を目的として訂正するものであり、上記訂正事項ｄ〜ｇは、上記訂正事項ａ〜ｃに伴い、特許請求の範囲の記載と発明の詳細な説明の記載との整合性を図るため、明瞭でない記載の釈明を目的として訂正するものであって、新規事項の追加に該当せず、また、実質上特許請求の範囲を拡張し、変更するものでない。
４．独立特許要件
（１）本件発明
　平成１１年１１月２日付けの手続補正書で補正させた平成１１年１０月５日付け訂正明細書の請求項１〜６に係る発明は、その訂正明細書の特許請求の範囲の請求項１〜６に記載された事項により特定される次のとおりのものである。
「【請求項１】データを表示する表示手段と、
　データを入力する入力手段と、
　前記表示手段に表示される矢印のパラメータの数値を記憶するパラメータ記憶手段と、
　矢印の矢じり部分のパラメータの数値に基づく矢印のパターン表示領域、及びパラメータの数値を変更するスクロールバーを有する設定画面を前記表示段に表示させる設定画面表示制御手段と、
　前記設定画面上において前記入力手段により指示されたパラメータの数値を、前記パラメータ記憶手段に設定するパラメータ設定手段と、
　前記設定画面上で前記入力手段によりスクロールバーを指定し、前記スクロールバーへの指示に応じてパラメータの数値が変更されると、前記設定画面内に変更後のパラメータの数値に基づく矢印のパターンを表示し、設定されたパラメータの数値に基づいて、前記表示手段に矢印を表示させる表示制御手段と、を有することを特徴とするデータ処理装置。
　【請求項２】前記パラメータは、少なくとも矢印の矢じり部分の角度を含むことを特徴とする請求項１記載のデータ処理装置。
　【請求項３】前記パラメータは、少なくとも矢印の矢じり部分の長さを含むことを特徴とする請求項１記載のデータ処理装置。
　【請求項４】データを表示する表示手段と、
　データを入力する入力手段と、
　前記表示手段に表示される矢印のパラメータの数値を記憶するパラメータ記憶手段と、
　矢印の矢じり部分における複数の異なるパラメータの数値に基づく矢印のパターン表示領域、及び各パラメータの数値をそれぞれ変更する複数のアイコンを有する設定画面を前記表示手段に表示させる設定画面表示制御手段と、
　前記設定画面上において前記入力手段により指示されたパラメータの数値を、前記パラメータ記憶手段に設定するパラメータ設定手段と、
　前記設定画面上で前記入力手段によりアイコンを指定し、前記アイコンヘの指示に応じてパラメータの数値が変更されると、前記設定画面内に変更後のパラメータの数値に基づく矢印のパターンを表示し、設定されたパラメータの数値に基づいて、前記表示手段に矢印を表示させる表示制御手段と、を有することを特徴とするデータ処理装置。
　【請求項５】前記アイコンは、パラメータの数値を増減させるものであることを特徴とする請求項４記載のデータ処理装置。
　【請求項６】データを入力する入力装置と、データを記憶する記憶装置と、データを表示する表示装置とを有する装置を制御すると共に、表示画面上に表示される矢印のパラメータを変更するデータ処理方法であって、
矢印の矢じり部分における複数の異なるパラメータの数値に基づく矢印のパターン表示領域、及び各パラメータの数値をそれぞれ変更する複数のアイコンを有する設定画面を表示させ、
　パラメータの数値を設定するため、設定画面上で入力装置によりアイコンを指定し、前記アイコンへの指示に応じてパラメータの数値が変更されると、設定画面内に変更後のパラメータの数値に基づく矢印のパターンを表示し、設定されたパラメータの数値に基づいて表示画面上に矢印を表示させる、ように制御することを特徴とするデータ処理方法。」
（２）当審が通知した取消理由に引用された引用刊行物に記載の発明
▲１▼刊行物１（ＩＣＡＤ／ＳＤＳ３コマンド使用手引書　応用編）には、コマンド入力で、矢印の開き角度（ＡＮＧ）、矢印の幅（ＷＤ）を入力し、矢印の形状の設定を行うことが記載されている。
▲２▼刊行物２（Ｔｏｗｎｓ　ＰＡＩＮＴガイド）には、サブメニュー画面におけるペンサイズの調整が、画面内に線を選択するためのアイコンが表示され、アイコンをクリックすることにより線の太さを調節することが出来るものが記載されています。
▲３▼刊行物３（ＩＣＡＤ解説書）は、刊行物１号証、刊行物４の補足資料として提出されている。
▲４▼刊行物４（ＩＣＡＤ／ＳＤＳ３運用手引書　応用編）は、刊行１及び刊行物２の参考資料として提出されている。
（３）対比・判断
▲１▼請求項１について
　訂正後の請求項１に係る発明と、取消理由通知で引用された刊行物１〜４を比較すると、刊行物１〜４にはいずれも「パラメータの数値を変更するスクロールバーを有する設定画面」及び「設定画面上で前記入力手段によりスクロールバーを指定し、前記スクロールバーへの指示に応じてパラメータの数値が変更されると、前記設定画面内に変更後のパラメータの数値に基づく矢印のパターンを表示し」については記載がなく、上記発明は上記刊行物１〜４のいずれかに記載された発明であるとも、また、上記刊行物１〜４に記載された各発明から容易に発明することができたものとも認められない。
▲２▼請求項２、３について
　請求項２、３に係る発明も、請求項１に係る発明をさらに技術的に限定具体化したものであるから、これらは上記刊行物１〜４に記載された発明から当業者が容易に発明できたものではない。
▲３▼請求項４について
　訂正後の請求項４に係る発明と、上記刊行物１〜４を比較すると、刊行物１〜４にはいずれも「矢じり部分における複数の異なるパラメータの数値に基づく矢印のパターン表示領域、及び各パラメータの数値をそれぞれ変更する複数のアイコンを有する設定画面」及び「設定画面上で前記入力手段によりアイコンを指定し、前記アイコンへの指示に応じてパラメータの数値が変更されると、前記設定画面内に変更後のパラメータの数値に基づく矢印のパターンを表示し」については記載がなく、上記発明は上記刊行物１〜４のいずれかに記載された発明であるとも、また、上記刊行物１〜４に記載された各発明から容易に発明することができたものとも認められない。
▲４▼請求項５について
　請求項５に係る発明も、請求項４に係る発明をさらに技術的に限定具体化したものであるから、これらは上記刊行物１〜４に記載された発明から当業者が容易に発明できたものではない。
▲５▼請求項６について
　訂正後の請求項６に係る発明と、上記刊行物１〜４を比較すると、刊行物１〜４にはいずれも「矢印の矢じり部分における複数の異なるパラメータの数値に基づく矢印のパターン表示領域、及び各パラメータの数値をそれぞれ変更する複数のアイコンを有する設定画面」及び「パラメータの数値を設定するため、設定画面上で入力装置によりアイコンを指定し、前記アイコンヘの指示に応じてパラメータの数値が変更されると、設定画面内に変更後のパラメータの数値に基づく矢印のパターンを表示し」については記載がなく、上記発明は上記刊行物１〜４のいずれかに記載された発明であるとも、また、上記刊行物１〜４に記載された各発明から容易に発明することができたものとも認められない。
　従って、訂正明細書の請求項１〜６に係る発明は、特許出願の際独立して特許を受けることができるものである。
５．むすび
　以上のとおりであるから、上記訂正事項ａ〜ｇは、特許法第１２０条の４第２項及び同条第３項において準用する１２６条第２〜４項の規定に適合するので、当該訂正を認める。
ＩＩＩ．特許異議申立について
１．申立ての理由の概要
　申立人は、証拠として甲第１号証（ＩＣＡＤ／ＳＤＳ３コマンド使用手引書　応用）、甲第２号証（Ｔｏｗｎｓ　ＰＡＩＮＴガイド）、甲第３号証（ＩＣＡＤ解説書（刊行物１号証、刊行物４の補足資料））及び甲第４号証（ＩＣＡＤ／ＳＤＳ３運用手引書　応用編（刊行物１及び刊行物２の参考資料））を提出し、本件発明の特許は、特許法第２９条第２項の規定に違反してなされたものであるから、特許を取り消すべき旨主張している。
２．判断
　本件発明は、上記ＩＩ．４．（３）で示したように、取消理由通知で示した刊行物に記載された発明から容易に発明をすることができたものとすることはできない。
３．むすび
　以上のとおりであるから、特許異議申立人の理由及び証拠によっては、本件請求項１〜６に係る発明の特許を取り消すことはできない。
　また、他に本件請求項１〜６に係る発明の特許を取り消すべき理由を発見しない。
　よって、結論のとおり決定する。
【異議決定日】
平成１１年１１月１７日（１９９９．１１．１７）
【訂正の要旨】
　訂正の要旨
（１）訂正事項ａ
　特許請求の範囲の請求項１
「データを表示する表示手段と、
　データを入力する入力手段と、
　前記表示手段に表示される矢印のパラメータの数値を記憶するパラメータ記憶手段と、
　矢印の矢じり部分のパラメータの数値を設定するための設定画面を前記表示手段に表示させる設定画面表示制御手段と、
　前記設定画面上において前記入力手段により指示されたパラメータの数値を、前記パラメータ記憶手段に設定するパラメータ設定手段と、
　前記パラメータ設定手段により設定されたパラメータの数値に基づいて、前記表示手段に矢印を表示させる表示制御手段と、を有することを特徴とするデータ処理装置。」
を
「データを表示する表示手段と、
　データを入力する入力手段と、
　前記表示手段に表示される矢印のパラメータの数値を記憶するパラメータ記憶手段と、
　矢印の矢じり部分のパラメータの数値に基づく矢印のパターン表示領域、及びパラメータの数値を変更するスクロールバーを有する設定画面を前記表示手段に表示させる設定画面表示制御手段と、
　前記設定画面上において前記入力手段により指示されたパラメータの数値を、前記パラメータ記憶手段に設定するパラメータ設定手段と、
　前記設定画面上で前記入力手段によりスクロールバーを指定し、前記スクロールバーへの指示に応じてパラメータの数値が変更されると、前記設定画面内に変更後のパラメータの数値に基づく矢印のパターンを表示し、設定されたパラメータの数値に基づいて、前記表示手段に矢印を表示させる表示制御手段と、を有することを特徴とするデータ処理装置。」
と訂正する。
（２）訂正事項ｂ
　特許請求の範囲の請求項４
「前記設定画面制御手段は、パラメータの数値を可変にするためのアイコンを有する設定画面を表示させ、前記パラメータ設定手段は、前記入力手段による前記アイコンヘの指示に応じて、矢印の矢じり部分のパラメータを設定することを特徴とする請求項１記載のデータ処理装置。」
を
「データを表示する表示手段と、
　データを入力する入力手段と、
　前記表示手段に表示される矢印のパラメータの数値を記憶するパラメータ記憶手段と、
　矢印の矢じり部分における複数の異なるパラメータの数値に基づく矢印のパターン表示領域、及び各パラメータの数値をそれぞれ変更する複数のアイコンを有する設定画面を前記表示手段に表示させる設定画面表示制御手段と、
　前記設定画面上において前記入力手段により指示されたパラメータの数値を、前記パラメータ記憶手段に設定するパラメータ設定手段と、
　前記設定画面上で前記入力手段によりアイコンを指定し、前記アイコンへの指示に応じてパラメータの数値が変更されると、前記設定画面内に変更後のパラメータの数値に基づく矢印のパターンを表示し、設定されたパラメータの数値に基づいて表示画面上に矢印を表示させる表示制御手段と、を有することを特徴とするデータ処理装置。」
と訂正する。
（３）訂正事項ｃ
　特許請求の範囲の請求項６
「データを入力する入力装置と、データを記憶する記憶装置と、データを表示する表示装置とを有する装置を制御すると共に、表示画面上に表示される矢印のパラメータを変更するデータ処理方法であって、
　矢印の矢じり部分のパラメータの数値を設定するための設定画面を表示させ、
　入力装置から設定画面上での指示があると、
　指示されたパラメータの数値を設定し、
　設定されたパラメータの数値に基づいて表示画面上に矢印を表示させる、ように制御することを特徴とするデータ処理方法。」
を
「データを入力する入力装置と、データを記憶する記憶装置と、データを表示する表示装置とを有する装置を制御すると共に、表示画面上に表示される矢印のパラメータを変更するデータ処理方法であって、
　矢印の矢じり部分における複数の異なるパラメータの数値に基づく矢印のパターン表示領域、及び各パラメータの数値をそれぞれ変更する複数のアイコンを有する設定画面を表示させ、
　パラメータの数値を設定するため、設定画面上で入力装置によりアイコンを指定し、前記アイコンヘの指示に応じてパラメータの数値が変更されると、設定画面内に変更後のパラメータの数値に基づく矢印のパターンを表示し、設定されたパラメータの数値に基づいて表示画面上に矢印を表示させる、ように制御することを特徴とするデータ処理方法。」
に訂正する。
（４）訂正事項ｄ
　【０００４】を
「【課題を解決するための手段】
　本発明は、上記した問題点を解決するために、データを表示する表示手段と、データを入力する入力手段と、表示手段に表示される矢印のパラメータの数値を記憶するパラメータ記憶手段と、矢印の矢じり部分のパラメータの数値に基づく矢印のパターン表示領域、及びパラメータの数値を変更するスクロールバーを有する設定画面を表示手段に表示させる設定画面表示制御手段と、設定画面上において入力手段により指示されたパラメータの数値を、パラメータ記憶手段に設定するパラメータ設定手段と、設定画面上で入力手段によりスクロールバーを指定し、前記スクロールバーへの指示に応じてパラメータの数値が変更されると、設定画面内に変更後のパラメータの数値に基づく矢印のパターンを表示し、設定されたパラメータの数値に基づいて、表示手段に矢印を表示させる表示制御手段と、を有する構成とした。」
と訂正する。
（５）訂正事項ｅ
　【０００５】を
「【作用】
　本発明は、上記した構成により、設定画面内に設けられたスクロールバーを操作することにより、矢印の矢じり部分の形状を決定するパラメータの数値が変更される。」
と訂正する。
（６）訂正事項ｆ
　【００１４】を
「先ず、ＣＰＵ１は、ＣＲＴ７に図１０に示すような矢印設定画面を表示させる（Ｓ６０）。この設定画面において、中央部には、現在の設定値に基づく矢印のパターンを表示する。また、矢印表示部分の左側は角度設定用のスクロールバー、下側は大きさ設定用のスクロールバーである。スクロールバーは、２方向の矢印（本発明の「アイコン」に相当する）と、縞の部分（以下、バリュエータという）及びバリュエータ内を移動する白抜き部分（以下、スライダという）で構成され、バリュエータ内の位置によって、角度及びサイズの設定可能な最大値に対する割合（０％〜１００％）を表す。この場合、角度の最大値は４０°、サイズの最大値は３０ドットである。ここでは、入力手段４からの角度設定（Ｓ６２）、大きさ設定（Ｓ６３）、確定（Ｓ６４）、いづれかの指示に応じて、処理を行う。」
と訂正する。
（７）訂正事項ｇ
　【００２２】を
「【発明の効果】
　本発明は、データを表示する表示手段と、データを入力する入力手段と、表示手段に表示される矢印のパラメータの数値を記憶するパラメータ記憶手段と、矢印の矢じり部分のパラメータの数値に基づく矢印のパターン表示領域、及びパラメータの数値を変更するスクロールバーを有する設定画面を表示手段に表示させる設定画面表示制御手段と、設定画面上において入力手段により指示されたパラメータの数値を、パラメータ記憶手段に設定するパラメータ設定手段と、設定画面上で入力手段によりスクロールバーを指示し、前記スクロールバーへの指示に応じてパラメータの数値が変更されると、設定画面内に変更後のパラメータの数値に基づく矢印のパターンを表示し、設定されたパラメータの数値に基づいて、表示手段に矢印を表示させる表示制御手段と、を有する構成としたことにより、設定画面内に設けられたスクロールバーを指定し、スクロールバーへの指示に応じて、矢印の矢じり部分の形状を決定するパラメータの数値が変更でき、変更後のパラメータの数値に基づく矢印のパターンが設定画面内に表示されるので、操作者にとって所望の矢印形状の設定、確認の操作効率が向上する。」
と訂正する。
（５４）【発明の名称】
データ処理装置及びデータ処理方法
（５７）【特許請求の範囲】
　【請求項１】データを表示する表示手段と、
　データを入力する入力手段と、
　前記表示手段に表示される矢印のパラメータの数値を記憶するパラメータ記憶手段と、
　矢印の矢じり部分のパラメータの数値
に基づく矢印のパターン表示領域、及びパラメータの数値を変更するスクロールバーを有する
　前記設定画面上において前記入力手段により指示されたパラメータの数値を、前記パラメータ記憶手段に設定するパラメータ設定手段と、
　前記設定画面上て前記入力手段によりスクロールバーを指定し、前記スクロールバーへの指示に応じてパラメータの数値が変更されると、前記設定画面内に変更後のパラメータの数値に基づく矢印のパターンを表示し、
　【請求項２】前記パラメータは、少なくとも矢印の矢じり部分の角度を含むことを特徴とする請求項１記載のデータ処理装置。
　【請求項３】前記パラメータは、少なくとも矢印の矢じり部分の長さを含むことを特徴とする請求項１記載のデータ処理装置。
　【請求項４】
データを表示する表示手段と、
　
データを入力する入力手段と、
　
前記表示手段に表示される矢印のパラメータの数値を記憶するパラメータ記憶手段と、
　
矢印の矢じり部分における複数の異なるパラメータの数値に基づく矢印のパターン表示領域及び各パラメータの数値をそれぞれ変更する複数のアイコンを有する設定画面を前記表示手段に表示させる設定画面表示制御手段と、
　
前記設定画面上において前記入力手段により指示されたパラメータの数値を、前記パラメータ記憶手段に設定するパラメータ設定手段と、
　
前記設定画面上で前記入力手段によりアイコンを指定し、前記アイコンヘの指示に応じてパラメータの数値が変更されると、前記設定画面内に変更後のパラメータの数値に基づく矢印のパターンを表示し、設定されたパラメータの数値に基づいて、前記表示手段に矢印を表示させる表示制御手段とを有する
るデ
　【請求項５】前記アイコンは、パラメータの数値を増減させるものであることを特徴とする請求項４記載のデータ処理装置。
　【請求項６】データを入力する入力装置と、データを記憶する記憶装置と、データを表示する表示装置とを有する装置を制御すると共に、表示画面上に表示される矢印のパラメータを変更するデータ処理方法てあって、
矢印の矢じり部分
における複数の異なる
に基づく矢印のパターン表示領域、及び各パラメータの数値をそれぞれ変更する複数のアイコンを有する
、
　
パ
するため、設定画面上で入力装置によりアイコンを指定し、前記アイコンへの指示に応じてパラメータの数値が変更されると、設定画面内に変更後のパラメータの数値に基づく矢印のパターンを表示し、
【発明の詳細な説明】
　【０００１】
　【発明の属する技術分野】
　本発明は、文書中の所望の位置に線の描画を行う等、さまざまな文書編集を行うことができるデスクトップパブリッシング（以下、ＤＴＰ）という）等のデータ処理装置及びデータ処理方法に関するものである。
　【０００２】
　【従来の技術】
　従来のデータ処理装置において、罫線に矢印を付けて出力する機能がある。この場合、予め複数の矢印のパターンを記憶しておき、図１１に示すような選択画面に表示させ、作業者からの指示選択に応じて該当する矢印付きの罫線を出力できる。
　【０００３】
　【発明が解決しようとする課題】
　しかしながら従来のデータ処理装置では、矢印のパターンの設定は、既存のパターンを選択する事しかできず、矢印パターンの設定の自由度が低いという問題点を有していた。
　【０００４】
　【課題を解決するための手段】
　本発明は、上記した問題点を解決するために、データを表示する表示手段と、データを入力する入力手段と、表示手段に表示される矢印のパラメータの数値を記憶するパラメータ記憶手段と、矢印の矢じり部分のパラメータの数値
に基づく矢印のパターン表示領域、及びパラメータの数値を変更するスクロールバーを有する
設定画面上で入力手段によりスクロールバーを指定し、スクロールバーへの指示に応じてパラメータの数値が変更されると、設定画面内に変更後のパラメータの数値に基づく矢印のパターンを表示し、
　【０００５】
　【作用】
　本発明は、上記した構成により、
設定画面内に設けられたスクロールバーを操作することにより、
変更される
　【０００６】
　【実施例】
　以下、本発明に係わる実施例について、図面を用いて説明する。
　【０００７】
　図１は、本発明の一実施例におけるデータ処理装置のブロック図であって、１は装置の制御及びデータの処理を行う中央演算処理装置（以下、ＣＰＵという）、２はプログラム命令等の記憶する読みだし専用メモリ（以下、ＲＯＭという）、３はデータ等を記憶するランダムアクセスメモリ（以下、ＲＡＭという）、４はキーボードやマウス等の入力手段、５はイメージメモリ、６はイメージメモリ５に文字や図形の描画を行うイメージコントローラ、７は陰極線管表示器（以下、ＣＲＴという）、８はプリンタである。
　【０００８】
　矢印は、図２に示すように、矢印が付与される線の線幅、矢印のサイズ、角度によってそのパターンが管理される。
　【０００９】
　３−１は矢印属性記憶領域で、図３に示すように、設定された矢印のサイズ、角度を記憶する。３−２は線幅記憶領域で、図４に示すように、設定された線幅を記憶する。イメージコントローラ６は、この矢印属性及び線幅に基づいて、矢印と線の描画を行う。
　【００１０】
　以上のように構成された本実施例のデータ処理装置について、以下、その動作を図５から図９のフローチャートを用いて説明する。
　【００１１】
　（１）線幅及び矢印パターンの設定
　【００１２】
　先ず、ＣＰＵ１によって矢印属性記憶領域３−１及び線幅記憶領域３−２に、矢印の大きさ、角度及び線幅が初期設定される（Ｓ５０）。ここで、入力手段４から線幅の設定が行われると、ＣＰＵ１は、その設定値に基づいて線幅記憶領域３−２内の線幅を更新する（Ｓ５２，Ｓ５３）。入力手段４から矢印設定の指示が行われると、ＣＰＵ１は、矢印設定の処理を行う（Ｓ５４，Ｓ５５）。また、確定の指示が行われると、この処理は終了する（Ｓ５６）。
　【００１３】
　以下、矢印設定処理について、図６から図８のフローチャートを用いて説明する。
　【００１４】
　先ず、ＣＰＵ１は、ＣＲＴ７に図１０に示すような矢印設定画面を表示させる（Ｓ６０）。この設定画面において、中央部には、現在の設定値に基づく矢印のパターンを表示する。また、矢印表示部分の左側は角度設定用のスクロールバー、下側は大きさ設定用のスクロールバーである。スクロールバーは、２方向の矢印
（本発明の「アイコン」に相当する）
　【００１５】
　入力手段４から角度設定の指示があった場合（Ｓ６２）、その指示が、大方向の矢印の指示ならば（Ｓ７０）、ＣＰＵ１は矢印属性記憶領域３−１内の矢印角度を＋１°してスライダを大方向に移動させ（Ｓ７１）、小方向の矢印の指示ならば（Ｓ７２）、矢印角度を−１°してスライダを小方向に移動させる（Ｓ７３）。また、バリュエータ中の位置の指示ならば（Ｓ７４）、指示された位置によって求まる割合を角度の最大値にかけ合わせることによって、矢印の角度を算出し（Ｓ７５）、矢印属性記憶領域３−１に記憶された矢印角度を変更する（Ｓ７６）。矢印属性の変更後、ＣＰＵ１はイメージコントローラ６に指示して、設定画面の中央部に矢印を描画させる。（Ｓ７７）。
　【００１６】
　尚、入力手段４から大きさ設定の指示があった場合（Ｓ６３）、図８フローチャートに沿った処理が行われるが、これは、角度設定の場合と同様であるので説明は省略する。
　【００１７】
　（２）線の描画
　【００１８】
　ＣＰＵ１は、入力手段４によって指定された始点と終点座標を取得して（Ｓ９０）、線幅記憶領域３−２から設定されている線幅を読みだし（Ｓ９１）、始点座標、終点座標及び線幅に基づいて、イメージコントローラ６に対して、イメージメモリ上に線の描画を行わせる（Ｓ９２）。線の描画の後、ＣＰＵ１は矢印属性記憶領域３−１から矢印属性を読みだし（Ｓ９３）、描画した線の始点又は終点を基準として、矢印属性に基づいた矢印を線と同様に描画させる。（Ｓ９４）。
　【００１９】
　以上のように本実施例では、矢印の形状を決定する角度・サイズ等をスクロールバーを介して、所望の値に設定することができるため、作業者が矢印のパターンを自由に設定することができる。
　【００２０】
　また、角度やサイズ等の入力にスクロールバーを用い、スクロールバーの指示に応じて、矢印パターンの表示が切り替わるため、操作性が向上する。
　【００２１】
　尚、スクロールバーを用いずに、角度やサイズ等の値を直接入力しても、前者の効果が得られることは明白である。
　【００２２】
　【発明の効果】
　本発明は、データを表示する表示手段と、データを入力する入力手段と、表示手段に表示される矢印のパラメータの数値を記憶するパラメータ記憶手段と、矢印の矢じり部分のパラメータの数値
に基づく矢印のパターン表示領域、及びパラメータの数値を変更するスクロールバーを有する
設定画面上で入力手段によりスクロールバーを指定しスクロールバーへの指示に応じてパラメータの数値が変更されると設定画面内に変更後のパラメータの数値に基づく矢印のパターンを表示し、
設定画面内に設けられたスクロールバーを指示しスクロールバーへの指示に応じて、
変更でき、変更後のパラメータの数値に基づく矢印のパターンが設定画面内に表示されるので、
矢印形状の設定、確認の操作効率が向上する。
【図面の簡単な説明】
　【図１】
　本発明の一実施例におけるデータ処理装置のブロック図
　【図２】
　矢印及び線の構成要素を表した模式図
　【図３】
　矢印属性データの模式図
　【図４】
　線幅データの模式図
　【図５】
　本発明の一実施例の動作を表すフローチャート
　【図６】
　本発明の一実施例の動作を表すフローチャート
　【図７】
　本発明の一実施例の動作を表すフローチャート
　【図８】
　本発明の一実施例の動作を表すフローチャート
　【図９】
　本発明の一実施例の動作を表すフローチャート
　【図１０】
　本発明のデータ処理装置における矢印パターン設定画面の表示例を示す図
　【図１１】
　従来のデータ処理装置における矢印パターン設定画面の表示例を示す図
　【符号の説明】
　１　中央処理装置
　２　リードオンリメモリ
　３　ランダムアクセスメモリ
　４　入力手段
　５　イメージメモリ
　６　イメージコントローラ
　７　陰極線管表示器
　８　プリンタ